(57)【要約】【課題】  リモコン装置からの信号光を通過させるために電気機器筐体に設けられる開口部を小さくでき、デザイン上の規制を減少しうるリモコン受光部の構造を提供する。【解決手段】  開口部を設けた電気機器の筐体内部の所定の箇所に配置され、前記開口部を介してリモコン装置からの信号光を受光するリモコン受光素子を備えるリモコン受光部において、前記開口部から前記筐体内側に略垂直に延設され、内壁に反射手段を有するリブを設けるようにした【選択図】  図２
0003106189.tif 000002
【実用新案登録請求の範囲】
【請求項１】
開口部を設けた電気機器の筐体内部の所定の箇所に配置され、前記開口部を介してリモコン装置からの信号光を受光するリモコン受光素子を備えるリモコン受光部において、
前記開口部から筐体内側に略垂直に延設されたリブの内壁に研磨による鏡面加工を施した反射部を設け、
前記開口部が円形のとき前記リブは前記開口部より筐体内部側に向かって開口面積が広くなるようにテーパ状に形成され、
前記開口部の半径をＲ、前記リブの垂直方向の長さをＨ、前記開口部から前記リモコン受光素子の受光面までの距離をＤ、前記開口部より入射する信号光の該開口部の鉛直方向に対する入射角度をθとする場合、
前記開口部は、
Ｒ≧（Ｄ・ｔａｎθ）／３
を満たし、
前記リブは、
Ｈ≧２Ｄ／３
を満たすように形成されることを特徴とするリモコン受光部の構造。
【請求項２】
開口部を設けた電気機器の筐体内部の所定の箇所に配置され、前記開口部を介してリモコン装置からの信号光を受光するリモコン受光素子を備えるリモコン受光部において、
前記開口部から前記筐体内側に略垂直に延設され、内壁に反射手段を有するリブを設けたことを特徴とするリモコン受光部の構造。
【請求項３】
前記リブの内壁には、研磨による鏡面加工が施されていることを特徴とする請求項２に記載のリモコン受光部の構造。
【請求項４】
前記開口部が円形のとき前記リブは略円筒状に形成され、
前記開口部の半径をＲ、前記リブの垂直方向の長さをＨ、前記開口部から前記リモコン受光素子の受光面までの距離をＤ、前記開口部より入射する信号光の該開口部の鉛直方向に対する入射角度をθとする場合、
前記開口部は、
Ｒ≧Ｄ・ｔａｎθ
を満たし、
前記リブは、
Ｈ≧２Ｄ／３
を満たすように形成されることを特徴とする請求項２又は３に記載のリモコン受光部の構造。
【請求項５】
前記リブは、前記開口部より筐体内部側に向かって開口面積が広くなるようにテーパ状に形成されることを特徴とする請求項４に記載のリモコン受光部の構造。
【請求項６】
請求項２から５の何れかの構造をしたリモコン受光部を備えることを特徴とするリモコン操作可能な電気機器。
【考案の詳細な説明】
【技術分野】
【０００１】
本考案は、各種ＡＶ機器や照明機器、空気・温度制御機器等のリモコン操作が可能な電気機器に係り、特に本体に配置されるリモコン受光部の構造に関する。
【背景技術】
【０００２】
従来、各種ＡＶ機器や照明機器、空気・温度制御機器等は、リモコン装置による遠隔操作を可能とするため、本体側にリモコン受光部を備えている。
【０００３】
図４は、テレビジョン受像機のリモコン受光部の構造を示す概略図である。図４に示すように、テレビジョン受像機のリモコン受光部は、リモコン装置から送信される信号光（例えば赤外光）を受光面１１で受光するリモコン受光素子１０がプリント基板３０に搭載されてなり、テレビジョン受像機本体のキャビネット２０に設けられた開口部２１を介して赤外光を受光可能に構成される。
【０００４】
また、キャビネット２０の開口部２１の近傍には、図示しない操作スイッチ等が配置されており、開口部２１及び操作スイッチを配置された部位には操作スイッチの表示等を印刷した銘板（パネルシート）４０が貼着されている。この銘板４０の開口部２１に対応する箇所５０は、赤外光を透過可能に構成されるとともに、デザイン的に内部が視認できないようにスモーク処理が施されている。
【０００５】
ここで、キャビット２０に設けられた開口部２１が円形の場合は、開口部２１の半径をＲ、キャビネット２０から受光面１１までの距離をＤ、受光面１１への入射角をθ2として、開口部２１の半径がＲ≧Ｄ・ｔａｎθ2を満たすように設計される（図６参照）。例えば、図４に示すように、Ｄ＝１０ｍｍ、θ2＝３５°の場合は、Ｒ≧７ｍｍとすればよいこととなる。このように、所定の角度で入射する赤外光を受光できるように開口部２１の寸法は決定される。
【０００６】
また、図５に示すように、開口部２１にレンズ６０を備えた別部材を設けて、入射された赤外光をレンズ６０で乱反射させることで、より広角から入射される赤外光を受光できるようにしたリモコン受光部の構造もある。
【０００７】
また、開口部にリモコン受光素子が臨むように配置して、開孔面積を大きくすることなく視野角（赤外光の入射角度θ）を大きくできるようにした技術も提案されている（特許文献１）。
【特許文献１】特開２００２−３７２２５１号公報
【考案の開示】
【考案が解決しようとする課題】
【０００８】
しかしながら、図４に示すリモコン受光部の構造は、開口部２１の直径が１４ｍｍなので銘板に印刷されるスモークが比較的大きくなるためデザインをする上で規制が多くなる。例えば、テレビジョン受像機のキャビネット前面にリモコン受光部を設ける場合、テレビジョン受像機の外観を損なうことなく一体感のあるデザインとなるのが望ましいが、スモーク部分が大きいと銘板の他の部分との統一が図りづらく、リモコン受光部だけが無駄に目立ってしまうこととなる。
【０００９】
また、図５に示すリモコン受光部の構造は、入射した赤外光を乱反射させるためのレンズ部材を別に設ける必要があるため、装置コストが嵩む上、レンズ部材を取り付ける工程がさらに必要となる。
【００１０】
また、上記先願技術では、ハウジングの外殻に設けられた信号取り入れ部（開口部）にリモコン受光素子のレンズが収容される構成となっているため、リモコン受光素子の搭載されたプリント基板のハウジング外殻との位置関係が制限される上、銘板を介してリモコン受光素子が視認されやすくなるとも考えられデザイン的に優れているとはいえない。
【００１１】
本考案は、リモコン装置からの信号光を通過させるための電気機器筐体に設けられる開口部を小さくでき、デザイン上の規制を減少しうるリモコン受光部の構造を提供することを目的とする。
【課題を解決するための手段】
【００１２】
本考案は、上記課題を解決するために、開口部を設けた電気機器の筐体内部の所定の箇所に配置され、前記開口部を介してリモコン装置からの信号光を受光するリモコン受光素子を備えるリモコン受光部において、前記開口部から前記筐体内側に略垂直に延設され、内壁に反射手段を有するリブを設けるようにしたものである。これにより、リモコン受光素子は開口部からの直接の入射光だけでなく、リブの内壁で反射された反射光をも受光できるようになる。
【００１３】
例えば、前記リブの内壁に研磨による鏡面加工を施すことで反射手段を形成する。これにより、リブの内壁面に例えばステンレス等の反射率の高い材料からなる反射体を設けなくても容易に入射光を反射させることができる。
【００１４】
また、前記開口部が円形のとき前記リブは略円筒状に形成され、前記開口部の半径をＲ、前記リブの垂直方向の長さをＨ、前記開口部から前記リモコン受光素子の受光面までの距離をＤ、前記開口部より入射する信号光の該開口部の鉛直方向に対する入射角度をθとする場合、前記開口部は、
Ｒ≧（Ｄ・ｔａｎθ）／３
を満たし、前記リブは、
Ｈ≧２Ｄ／３
を満たすように形成されるようにした。これにより、開口部の鉛直方向に対して角度θで入射する信号光を反射させてリモコン受光素子に到達させることができる。
【００１５】
さらに、前記リブは、前記開口部より筐体内部側に向かって開口面積が広くなるようにテーパ状に形成されるようにした。これにより、開口部面積が同じでもより広角からの信号光を受光することができるとともに、金型を用いてリブを形成する場合に成型後金型から容易に抜くことができる。
【００１６】
また、上述したリモコン受光部の構造は、各種ＡＶ機器や照明機器、空気・温度制御機器等のリモコン操作可能な電気機器に対して適用することができる。
【考案の効果】
【００１７】
本考案によれば、リモコン操作可能な電気機器に設けられるリモコン受光部において、機器筐体に設けられた開口部から筐体内側に略垂直に延設され、内壁に反射手段を有するリブを設けるようにしたので、所定の入射角度で開口部に入射する信号光を受光可能に設計する場合、開口面積を格段に縮小することができ、デザイン上の規制を減少させることができる。つまり、機器筐体にリモコン受光部を設けるときに、銘板のリモコン受光部に対応する位置に印刷されるスモークの面積は縮小されるので、このスモークにより機器全体の外観の統一性が損なわれるのを最小限に抑えることができ、デザイン性に優れた電気機器を実現できる。
【００１８】
また、機器筐体に同じ開口面積の開口部を設けた場合は、本考案に係るリブを有さない従来のリモコン受光部に比べて、より広角から開口部に入射する信号光を受光することができるので、リモコン装置により操作可能な範囲を広くすることができる。
【考案を実施するための最良の形態】
【００１９】
以下、本考案の好適な実施の形態を図面に基づいて説明する。
【００２０】
図１は本考案に係るリモコン受光部の構造を適用したテレビジョン受像機の外観図で、図２はテレビジョン受像機１のリモコン受光部４の構造を示す断面図である。
【００２１】
図１において、テレビジョン受像機１は映像出力部５がキャビネット２０と一体に構成されるとともに、キャビット２０の前面下方にはＡＶ入出力端子２，操作スイッチ３、リモコン受光部４が設けられている。
【００２２】
また、リモコン受光部４は、リモコン装置から送信される信号光（例えば赤外光）を受光面１１で受光するリモコン受光素子１０がプリント基板３０に搭載されてなり、テレビジョン受像機１のキャビネット２０に設けられた開口部２１を介して赤外光を受光可能となるように所定の箇所に配置される。
【００２３】
また、前記ＡＶ入出力端子２，操作スイッチ３，リモコン受光部４が配置されている部分には、各部位の表示等が印刷された銘板４０が貼着されている。この銘板４０は、全体がテレビジョン受像機１のキャビネット２０とほぼ同色（例えば灰色）の例えばアクリル樹脂で形成されるとともに、リモコン受光部４の開口部２１に対応する部分にはデザイン的に内部が視認できないようにスモーク処理（例えば黒色）が施されている。このため、テレビジョン受像機の全体が灰色である場合は、リモコン受光部４だけが黒色となるので、この部分はデザイン的にできるだけ小さくされることが望ましい。
【００２４】
本実施形態では、図２に示すように、キャビネット２０に設けられた円形の開口部２１からキャビネット内側に略垂直に延設された円筒状のリブ２２を設けている点が従来の構造と異なる。また、リブ２２の内壁２２ａには、研磨による鏡面加工を施すことで反射手段を形成している。なお、例えばステンレス等の反射率の高い材料からなる反射体で反射手段を構成してもよいことはいうまでもない。
【００２５】
このように、開口部２１から内側に延設されたリブ２２を設けることで、リモコン受光素子１０は開口部からの直接の入射光だけでなく、リブの内壁２２ａで反射された反射光をも受光できるようになる。したがって、所定の入射角度で開口部に入射する信号光を受光可能に設計する場合、開口面積を格段に縮小することができるので、デザイン上の規制を減少させることができる。
【００２６】
ここで、図３を参照して、リモコン受光部４における各部位（部材）の寸法について説明する。図３は、開口部２１の半径をＲ、リブ２２の垂直方向の長さ（開口部２１の表面からの長さ）をＨ、開口部２１からリモコン受光素子１０の受光面１１までの距離をＤ、リモコン装置から送信される赤外光Ｌの鉛直方向に対する入射角度をθ、としたときのリモコン受光部４の模式図である。
【００２７】
まず、鉛直方向に対して角度θ1で入射する赤外光Ｌ１を受光可能としたい場合、図３において、赤外光Ｌ１が開口部２１の端部を通って入射し、リブ２２で反射して受光面１１に入射されればよい。なお、図３において、赤外光Ｌが開口部２１を介して入射し直接受光面１１で受光可能なのは入射角度θ2までである。
【００２８】
このとき、図３より、
Ｄ・ｔａｎθ1＝３Ｒ
となるので、開口部２１の半径Ｒが
Ｒ≧（Ｄ・ｔａｎθ1）／３  ・・・（１）
を満たせば、赤外光Ｌ１をリブの内壁２２ａで一回反射させて受光面１１に到達させることができる。
【００２９】
一方、開口部２１より入射した赤外光Ｌ１はリブ２２の開口部２１の表面から２Ｄ／３の点で反射されたときに受光面１１に到達することとなるので、リブ２２の長さＨが
Ｈ≧２Ｄ／３  ・・・（２）
を満たせば、リブ２２で赤外光を反射させて受光面１１に導くことができる。
【００３０】
例えば、開口部２１の鉛直方向に対して３５°で入射する赤外光を受光可能とし、開口部２１からリモコン受光素子１０の受光面１１までの距離Ｄを１０ｍｍとした場合、式（２）より開口部２１の半径は２．３３ｍｍ以上となり、式（３）よりリブ２２の長さは６．６７ｍｍ以上となる。したがって、例えば、Ｒ＝３ｍｍ，Ｈ＝７ｍｍとすれば、少なくとも鉛直方向に対して３５°以下の角度で入射する赤外光を確実に受光可能となる。
【００３１】
また、機器筐体に設けられた開口部２１の開口面積が同じ場合、従来のリモコン受光部の構造では角度θ2で入射する赤外光を受光するのが限界であったが、本実施形態ではθ2より広角の角度θ1で入射する赤外光を受光することができる。つまり、図３において赤外光の入射角が、鉛直方向に対して０≦θ≦θ2の場合は直接受光面１１に到達し、θ2<θ≦θ1の場合（例えば赤外光Ｌ２）はリブの内壁２２ａで反射されて受光面１１に到達することとなる。このように、本実施形態に係るリモコン受光部によれば、より広角で入射する赤外光を受光可能なので、リモコン装置により操作可能な範囲が従来に比べて格段に広くなる。
【００３２】
また、開口部２１から入射した赤外光Ｌは一回の反射で受光面１１に到達されるので、反射により赤外光Ｌの強度が低下しリモコン受光部の感度が低下することも少ない。
【００３３】
以上、本考案者によってなされた考案を実施形態に基づいて具体的に説明したが、本考案は上記実施形態に限定されるものではなく、その要旨を逸脱しない範囲で変更可能である。
【００３４】
例えば、リブの内壁２２ａを、開口部２１よりキャビネット内部側に向かって開口面積が広くなるようにテーパ状に形成してもよい。この場合、開口部面積が同じでもより広角からの信号光を受光することができるとともに、金型を用いてリブを形成する場合に成型後金型から容易に抜くことができる。
【００３５】
また、上述したリモコン受光部の構造は、テレビジョン受像機だけでなく、その他の各種ＡＶ機器や照明機器、空気・温度制御機器等のリモコン操作可能な電気機器に対して適用することができる。
【図面の簡単な説明】
【００３６】
【図１】本考案に係るリモコン受光部の構造を適用したテレビジョン受像機の外観図である。
【図２】テレビジョン受像機のリモコン受光部の構造を示す断面図である。
【図３】本実施形態に係るリモコン受光部の構造を示す模式図である。
【図４】従来のリモコン受光部の構造の一例を示す断面図である。
【図５】従来のリモコン受光部の構造の他の一例を示す断面図である。
【図６】従来のリモコン受光部の構造を示す模式図である。
【符号の説明】
【００３７】
１０  リモコン受光素子
１１  受光面
２０  キャビネット（機器筐体）
２１  開口部
２２  リブ
２２ａ  リブ内壁
３０  プリント基板
４０  銘板
【図１】
0003106189.tif 000003
【図２】
0003106189.tif 000004
【図３】
0003106189.tif 000005
【図４】
0003106189.tif 000006
【図５】
0003106189.tif 000007
【図６】
0003106189.tif 000008